(57)【要約】      （修正有）【課題】丸パイプの端部斜め切口を塞ぐキャップを、金属の切削加工によって提供する。【解決手段】丸パイプ内Ａに固定する中子１と金属製のキャップ２とよりなり、中子には中心孔３を設けてキャップを固定自在とし、キャップは前記中心孔に挿入し固定する軸部４と、丸パイプの端部における斜め切口Ｂの外形と同一形状のキャップ本体５とよりなる丸パイプ斜め切口のキャップ構造である。【選択図】図１
0003159564.tif 000002
【実用新案登録請求の範囲】
【請求項１】
丸パイプ内に固定自在な中子と金属製のキャップとよりなり、中子には中心孔を設けてキャップを固定自在とし、キャップは前記中心孔に挿入し固定自在な軸部と、丸パイプの端部における斜め切口の外形に対応したキャップ本体とよりなる丸パイプ斜め切口のキャップ構造。
【考案の詳細な説明】
【技術分野】
【０００１】
本考案は化粧用具、筆記具などに使用する金属製、樹脂製等の丸パイプの端部における斜め切口を閉じるキャップ構造に関する。
【背景技術】
【０００２】
従来、金属製等の丸パイプＡの端部における斜め切口Ｂを閉じるキャップ構造としては、図４のように丸パイプＡ内への挿入部の先端に斜め切口Ｂの外形に対応した蓋本体Ｃを設けた構造のものとなっているが、一体成形のできる合成樹脂製か鋳造製のものとなっているのが一般的である。ところが合成樹脂製では強度に難点があり、又成形、鋳造では金型が必要になるだけでなく、丸パイプの直径が５〜２０ｍｍのような細いもののキャップとなると精巧さを期待することができないなどの難点があり、殊に少ロット生産に際しては上記も金型、鋳造設備ではコスト高になり使用に耐え得ない。又切削の金属加工では殊に挿入部と蓋本体の交差部分が鋭角状になっている部分はエンドミル加工、バイト加工をすることができない。
【考案の概要】
【考案が解決しようとする課題】
【０００３】
そこで本考案は、丸パイプの端部斜め切口を塞ぐキャップを、金属の切削加工によって提供しようとするものである。
【課題を解決するための手段】
【０００４】
丸パイプ内に固定自在な中子と金属製のキャップとよりなり、中子には中心孔を設けてキャップを固定自在とし、キャップは前記中心孔に挿入し固定自在な軸部と、丸パイプの端部における斜め切口の外形に対応したキャップ本体とよりなるものである。
尚丸パイプは金属製に限らず樹脂製でも良く、端部の斜め切口に強度を持たせる場合などに利用することができる。又中子は金属以外の素材でもよい。
【考案の効果】
【０００５】
本考案の効果として、中子もキャップも工作機械における切削工具を使用して金属加工によって製造できるので、成形装置、鋳造装置などの金型は必要なく少ロット生産が可能となり、且つ精巧なキャップ構造ができ、しかもキャップ本体にも簡単に装飾などを施すことができ、有益である。
【図面の簡単な説明】
【０００６】
【図１】本考案に係るキャップ構造の断面説明図
【図２】キャップの斜視説明図
【図３】キャップの加工手順を示した拡大断面説明図
【図４】従来蓋本体の断面説明図
【実施例】
【０００７】
金属製の丸パイプＡ内に固定自在な中子１とキャップ２とよりなり、中子１には後述の軸部４を挿入固定する中心孔３を設けてある。この中子１は金属製のものがよいが、使用目的によっては樹脂製などでもよい。
【０００８】
キャップ２は、前記中心孔３に挿入し固定自在な軸部４と、丸パイプＡの端部における斜め切口Ｂの外形に対応したキャップ本体５とよりなるものである。
【０００９】
実際の金属加工に際しては、殊にキャップ２の加工にあっては図２のように所要箇所に工作機械における切削工具のエンドミル、バイトを当てて切削する。
【００１０】
本考案は以上のようになるもので、これを筆記具６のキャップとなる丸パイプＡ内の所要深さに中子１を固定し、この中子１の中心孔３にキャップ２の軸部４を挿入し接着剤により固定しキャップ本体５と斜め切口Ｂを密接させる。図示しない化粧道具などのキャップとしても使用でき、その他の用具としても使用できる。
【符号の説明】
【００１１】
１：中子
２：キャップ
３：中心孔
４：軸部
５：キャップ本体
６：筆記具
Ａ：丸パイプ
Ｂ：斜め切口
【図２】
0003159564.tif 000003
【図１】
0003159564.tif 000004
【図３】
0003159564.tif 000005
【図４】
0003159564.tif 000006
【手続補正書】
【提出日】平成22年3月24日(2010.3.24)
【手続補正１】
【補正対象書類名】明細書
【補正対象項目名】全文
【補正方法】変更
【補正の内容】
【考案の詳細な説明】
【技術分野】
【０００１】
本考案は化粧用具、筆記具などに使用する金属製、樹脂製等の丸パイプの端部における斜め切口を閉じるキャップ構造に関する。
【背景技術】
【０００２】
従来、金属製等の丸パイプＡの端部における斜め切口Ｂを閉じるキャップ構造としては、図４のように丸パイプＡ内への挿入部の先端に斜め切口Ｂの外形に対応した蓋本体Ｃを設けた構造のものとなっているが、一体成形のできる合成樹脂製か鋳造製のものとなっているのが一般的である。ところが合成樹脂製では強度に難点があり、又成形、鋳造では金型が必要になるだけでなく、丸パイプの直径が５〜２０ｍｍのような細いもののキャップとなると精巧さを期待することができないなどの難点があり、殊に少ロット生産に際しては金型、鋳造設備ではコスト高になり使用に耐え得ない。又切削の金属加工では殊に挿入部と蓋本体の交差部分が鋭角状になっている部分はエンドミル加工、バイト加工をすることができない。
【考案の概要】
【考案が解決しようとする課題】
【０００３】
そこで本考案は、丸パイプの端部斜め切口を塞ぐキャップを、金属の切削加工によって提供しようとするものである。
【課題を解決するための手段】
【０００４】
丸パイプ内に固定する中子と金属製のキャップとよりなり、中子には中心孔を設けてキャップを固定自在とし、キャップは前記中心孔に挿入し固定する軸部と、丸パイプの端部における斜め切口の外形と同一形状のキャップ本体とよりなるものである。
尚丸パイプは金属製に限らず樹脂製でも良く、端部の斜め切口に強度を持たせる場合などに利用することができる。又中子は金属以外の素材でもよい。
【考案の効果】
【０００５】
本考案の効果として、中子もキャップも工作機械における切削工具を使用して金属加工によって製造できるので、成形装置、鋳造装置などの金型は必要なく少ロット生産が可能となり、且つ精巧なキャップ構造ができ、しかもキャップ本体にも簡単に装飾などを施すことができ、有益である。
【図面の簡単な説明】
【０００６】
【図１】本考案に係るキャップ構造の断面説明図
【図２】キャップの斜視説明図
【図３】キャップの加工手順を示した拡大断面説明図
【図４】従来蓋本体の断面説明図
【実施例】
【０００７】
金属製の丸パイプＡ内に固定する中子１とキャップ２とよりなり、中子１には後述の軸部４を挿入固定する中心孔３を設けてある。この中子１は金属製のものがよいが、使用目的によっては樹脂製などでもよい。
【０００８】
キャップ２は、前記中心孔３に挿入し固定する軸部４と、丸パイプＡの端部における斜め切口Ｂの外形と同一形状のキャップ本体５とよりなるものである。
【０００９】
実際の金属加工に際しては、殊にキャップ２の加工にあっては図２のように所要箇所に工作機械における切削工具のエンドミル、バイトを当てて切削する。
【００１０】
本考案は以上のようになるもので、これを筆記具６のキャップとなる丸パイプＡ内の所要深さに中子１を固定し、この中子１の中心孔３にキャップ２の軸部４を挿入し接着剤により固定しキャップ本体５と斜め切口Ｂを密接させる。図示しない化粧道具などのキャップとしても使用でき、その他の用具としても使用できる。
【符号の説明】
【００１１】
１：中子
２：キャップ
３：中心孔
４：軸部
５：キャップ本体
６：筆記具
Ａ：丸パイプ
Ｂ：斜め切口
【手続補正２】
【補正対象書類名】実用新案登録請求の範囲
【補正対象項目名】全文
【補正方法】変更
【補正の内容】
【実用新案登録請求の範囲】
【請求項１】
丸パイプ内に固定する中子と金属製のキャップとよりなり、中子には中心孔を設けてキャップを固定自在とし、キャップは前記中心孔に挿入し固定する軸部と、丸パイプの端部における斜め切口の外形と同一形状のキャップ本体とよりなる丸パイプ斜め切口のキャップ構造。